(57)【要約】  車両ディスクブレーキシステムのブレーキパッド摩耗を測定するブレーキパッド摩耗測定システムは第一のコイル面を有し且つ第一の磁界を生成するように励磁可能である第一のコイルを含む。第一のターゲットは、該第一のコイル面から一定距離、離間されている。該第一のコイルおよび該第一のターゲットは、該第一のターゲットが、該ブレーキパッド摩耗量ととともに変化し且つ該第一のコイルのインダクタンスを変化させる該第一のコイルの部分を覆うように、該ディスクブレーキシステムの作動に応答して相対移動するように構成される。該第一のコイルの該インダクタンスは、ブレーキパッド摩耗量を示す。また、該ブレーキパッド摩耗測定システムは、第二のコイル面を有し且つ第二の磁界を生成するように励磁可能である第二のコイルも含む。第二のターゲットは、該第二のターゲットと該第二のコイル面との間の距離が、ブレーキパッド摩耗量とともに変化し且つ該第二のコイルの該インダクタンスを変化させるように、該ディスクブレーキシステムの作動に応答して該第二のコイル面に向かって移動するように構成される。該第二のコイルの該インダクタンスはブレーキパッド摩耗量を示す。
2019532236.tif 000002
【特許請求の範囲】
【請求項１】
車両ディスクブレーキシステムのブレーキパッド摩耗を測定するブレーキパッド摩耗測定システムであって、
第一のコイル面を有し、第一の磁界を生成するように励磁可能な第一のコイルと、
前記第一のコイル面から一定の距離だけ離間された第一のターゲットであって、前記第一のコイルと前記第一のターゲットは、該第一のターゲットが、ブレーキパッド摩耗量とともに変化し且つ前記第一のコイルのインダクタンスを変化させる該第一のコイルの部分を覆うように、前記ディスクブレーキシステムの作動に応答して相対移動するように構成され、前記第一のコイルの前記インダクタンスはブレーキパッド摩耗量を示す、前記第一のターゲットと、
第二のコイル面を有し、第二の磁界を生成するように励磁可能な第二のコイルと、
前記第二のターゲットと前記第二のコイル面との間の距離が、ブレーキパッド摩耗量とともに変化し且つ前記第二のコイルの前記インダクタンスを変化させるように、前記ディスクブレーキシステムの作動に応答して前記第二のコイル面に向かって移動するように構成された第二のターゲットであって、前記第二のコイルの前記インダクタンスはブレーキパッド摩耗量を示す、前記第二のターゲットと、
を備えるブレーキパッド摩耗測定システム。
【請求項２】
前記第一および第二のコイルを励磁して前記磁界を生成し、且つ前記第一および第二のコイルの前記インダクタンスを測定するように構成された制御部をさらに備え、該制御部は、前記磁界における前記第一および第二のターゲットの移動によって引き起こされる前記第一および第二のコイルにおけるインダクタンスの変化に応答して、ブレーキパッド摩耗を示す信号を提供するように構成される、請求項１に記載のブレーキパッド摩耗測定システム。
【請求項３】
前記第一および第二のコイル面は互いに直角に向けられ、前記第一のターゲットは、前記第一のコイル面に平行に向けられ、前記第二のターゲットは、前記第二のコイル面に平行に向けられる、請求項１に記載のブレーキパッド摩耗システム。
【請求項４】
前記第一のコイルおよびターゲットは、ブレーキパッドの寿命の初期にブレーキパッド摩耗を測定するように構成され、前記第二のコイルおよびターゲットは、前記ブレーキパッドの寿命の終了に向かう所定の時点で始まるブレーキパッド摩耗を測定するように構成される、請求項１に記載のブレーキパッド摩耗システム。
【請求項５】
前記第二のコイルは、前記第一のコイルよりも小さく、前記第二のターゲットは、ブレーキパッド摩耗量に関係なく、前記第二のコイルを完全に覆う、請求項１に記載のブレーキパッド摩耗システム。
【請求項６】
前記第一のターゲットは、略先細形状を有し、前記第二のターゲットは、略矩形状を有する、請求項１に記載のブレーキパッド摩耗システム。
【請求項７】
前記第一および第二のターゲットは互いに直角に向けられる、請求項１に記載のブレーキパッド摩耗測定システム。
【請求項８】
前記第一のターゲットは、ブレーキの作動に応答して、前記第一のコイル面に平行に移動し、前記第二のターゲットは、ブレーキの作動に応答して、前記第二のコイル面に垂直に移動する、請求項１に記載のブレーキパッド摩耗測定システム。
【請求項９】
前記第二のコイルは、前記ブレーキが所定の摩耗量に達するまで、該第二のコイル面に向かう前記第二のターゲットの移動が、前記第二のコイルの前記インダクタンスに影響を及ぼさないようなサイズで形成される、請求項１に記載のブレーキパッド摩耗測定システム。
【請求項１０】
車両ディスクブレーキシステムのブレーキパッド摩耗を測定するブレーキパッド摩耗測定システムであって、
第一の磁界を生成するように励磁可能な第一のコイルと、第二の磁界を生成するように励磁可能な第二のコイルと、前記第一および第二のコイルを励磁し且つ前記第一および第二のコイルにおけるインダクタンスを測定するように構成された制御部とを支持するハウジングを備えるセンサと、
前記ディスクブレーキシステムの作動に応答して、前記第一の磁界内で移動し且つ前記第一のコイルの前記インダクタンスに影響を及ぼすように構成された第一のターゲットと、
前記ディスクブレーキシステムの作動に応答して前記第二の磁界に向かって移動し、前記ブレーキパッドが所定の摩耗量に達するまで、前記第二のコイルの前記インダクタンスに影響を及ぼさないように構成された第二のターゲットと、
を備える、ブレーキパッド摩耗測定システム。
【請求項１１】
前記制御部は、前記磁界内での前記第一および第二のターゲットの移動によって引き起こされる前記第一および第二のコイルのインダクタンスの変化に応答して、ブレーキパッド摩耗を示す信号を前記センサから提供するように構成される、請求項１０に記載のブレーキパッド摩耗測定システム。
【請求項１２】
前記制御部は、前記第一のコイルの前記インダクタンスに応答して初期のブレーキパッド摩耗を計算し、且つ前記ブレーキパッドが所定の摩耗量に達した後にだけ、前記第二のコイルのインダクタンスの変化に応答してブレーキパッド摩耗を計算するように構成される、請求項１０に記載のブレーキパッド摩耗システム。
【請求項１３】
前記第一および第二のコイル面は互いに直角に向けられ、前記第一のターゲットは、前記第一のコイル面に平行に向けられ、前記第二のターゲットは、前記第二のコイル面に平行に向けられる、請求項１０に記載のブレーキパッド摩耗システム。
【請求項１４】
前記第一のコイルおよびターゲットは、前記ブレーキパッドの寿命の初期にブレーキパッド摩耗を測定するように構成され、前記第二のコイルおよびターゲットは、前記ブレーキパッドの寿命の終了に向かって始まるブレーキパッド摩耗を測定するように構成される、請求項１０に記載のブレーキパッド摩耗システム。
【請求項１５】
前記第二のコイルは、前記第一のコイルよりも小さく、前記第二のターゲットは、ブレーキパッド摩耗量に関係なく、前記第二のコイルを完全に覆う、請求項１０に記載のブレーキパッド摩耗システム。
【請求項１６】
前記第一のターゲットは略先細形状を有し、前記第二のターゲットは略矩形状を有する、請求項１０に記載のブレーキパッド摩耗システム。
【請求項１７】
前記第一および第二のターゲットは互いに直角に向けられる、請求項１０に記載のブレーキパッド摩耗測定システム。
【請求項１８】
前記第一のターゲットは、ブレーキの作動に応答して、前記第一のコイル面に平行に移動し、前記第二のターゲットは、ブレーキの作動に応答して、前記第二のコイル面に垂直に移動する、請求項１０に記載のブレーキパッド摩耗測定システム。
【請求項１９】
前記第二のコイルは、前記ブレーキが所定の摩耗量に達するまで、前記第二のコイル面に向かう前記第二のターゲットの移動が、前記第二のコイルの前記インダクタンスに影響を及ぼさないようなサイズで形成される、請求項１０に記載のブレーキパッド摩耗測定システム。
【発明の詳細な説明】
【技術分野】
【０００１】
（関連出願）この出願は、２０１６年１０月１７日に出願された米国仮特許出願第６２／４０８，９０１号の利益を主張するものである。この出願における開示は、参照により、その全体が本願明細書に組み込まれるものとする。
【０００２】
本発明は、一般的には、ブレーキパッド摩耗感知システムおよび装置に関する。より具体的には、本発明は、ディスクブレーキシステムの内側ブレーキパッドおよび外側ブレーキパッドの両方における摩耗を測定するブレーキパッド摩耗センサに関する。
【背景技術】
【０００３】
自動車のブレーキパッドを交換する必要がある場合には、感知してドライバーに知らせることが好ましい。公知の電子ブレーキ摩耗センサは、該内側ブレーキパッドにクリップで留められている抵抗回路センサを有している。該パッドがロータによって摩耗するにつれて該センサも摩耗し、その抵抗を変化させる。ピグテールハーネスが該センサに接続され、該センサは、車両内の感知モジュールに配線されている。
【０００４】
公知のアプローチに関しては、いくつかの問題がある。多数のワイヤーハーネスおよび追加的な感知モジュールは、この公知のアプローチを費用のかかる解決策にしている。車両サスペンションおよびホイール／ステアリングナックルエリアを介した該ハーネスのルーティングは、非常に難しく、および砂利による損傷を起こしやすい。さらに、該摩耗センサは、該パッドが交換される度に交換しなければならず、そのことは費用がかかる可能性がある。
【０００５】
ブレーキパッド摩耗を検出するために電子センサを採用している間は、該ブレーキパッドおよびブレーキキャリパーエリアが、多くの電子センサが耐えることのできない３００度を超える温度に達する可能性があることを考慮することが重要である。
【０００６】
コストおよび実施の観点から、どのようなワイヤーハーネスも使用しないこと、および該パッド摩耗の情報をドライバーディスプレイへ送るコストを低減するためには、該車両上に既に現存する製品を利用しようとすることが望ましい。また、該ブレーキパッド摩耗センサおよび該ブレーキパッドが交換される場合に、必ずしも該ブレーキパッド摩耗センサを該ブレーキパッドとともに交換する必要がないことが好ましい。また、該ブレーキパッド摩耗センサは、診断（例えば、鼓動）能力を備えていることが望ましく、該センサは、制動時に見られる過剰な温度に耐えることができなければならない。
【発明の概要】
【課題を解決するための手段】
【０００７】
一つの態様によれば、車両ディスクブレーキシステムのブレーキパッド摩耗を測定するブレーキパッド摩耗測定システムは、第一のコイル面を有し且つ第一の磁界を生成するように励磁可能である第一のコイルを含む。第一のターゲットは、該第一のコイル面から一定距離、離間されている。該第一のコイルと該第一のターゲットは、該第一のターゲットが、ブレーキパッド摩耗量とともに変化し且つ該第一のコイルのインダクタンスを変化させる該第一のコイルの部分を覆うように、該ディスクブレーキシステムの作動に応答して相対移動するように構成される。該第一のコイルの該インダクタンスはブレーキパッド摩耗量を示す。該ブレーキパッド摩耗測定システムは、第二のコイル面を有し且つ第二の磁界を生成するように励磁可能である第二のコイルも含む。第二のターゲットは、該第二のターゲットと該第二のコイル面との間の距離が、ブレーキパッド摩耗量とともに変化し且つ該第二のコイルの該インダクタンスを変化させるように、該ディスクブレーキシステムの作動に応答して該第二のコイル面に向かって移動するように構成される。該第二のコイルの該インダクタンスはブレーキパッド摩耗量を示す。
【０００８】
単独の別の態様、または、任意の他の態様と組合せた別の態様によれば、該ブレーキパッド摩耗測定システムは、該第一および第二のコイルを励磁して該磁界を生成し且つ該第一および第二のコイルの該インダクタンスを測定するように構成された制御部も含むことができる。該制御部は、該磁界内での該第一および第二のターゲットの移動によって引き起こされる該第一および第二のコイルにおけるインダクタンスの変化に応答して、ブレーキパッド摩耗を示す信号を提供するように構成することができる。
【０００９】
単独の別の態様、または、任意の他の態様と組合せた別の態様によれば、該第一および第二のコイル面は、互いに直角に向けることができる。該第一のターゲットは、該第一のコイル面に平行に向けることができ、該第二のターゲットは、該第二のコイル面に平行に向けることができる。
【００１０】
単独の別の態様、または、任意の他の態様と組合せた別の態様によれば、該第一のコイルおよびターゲットは、ブレーキパッドの寿命の初期にブレーキパッド摩耗を測定するように構成することができる。該第二のコイルおよびターゲットは、該ブレーキパッドの寿命の終了に向かう所定の時点で始まるブレーキパッド摩耗を測定するように構成することができる。
【００１１】
単独の別の態様、または、任意の他の態様と組合せた別の態様によれば、該第二のコイルは、該第一のコイルよりも小さくすることができ、該第二のターゲットは、ブレーキパッド摩耗量に関係なく、該第二のコイルを完全に覆うことができる。
【００１２】
単独の別の態様、または、任意の他の態様と組合せた別の態様によれば、該第一のターゲットは、略先細形状を有することができ、該第二のターゲットは、略矩形状を有することができる。
【００１３】
単独の別の態様、または、任意の他の態様と組合せた別の態様によれば、該第一および第二のターゲットは、互いに直角に向けることができる。
【００１４】
単独の別の態様、または、任意の他の態様と組合せた別の態様によれば、該第一のターゲットは、ブレーキの作動に応答して、該第一のコイル面と平行に移動することができ、該第二のターゲットは、ブレーキの作動に応答して、該第二のコイル面に垂直に動くことができる。
【００１５】
単独の別の態様、または、任意の他の態様と組合せた別の態様によれば、該第二のコイルは、該ブレーキが所定の摩耗量に達するまで、該第二のコイル面に向かう該第二のターゲットの移動が、該第二のコイルの該インダクタンスに作用しないようなサイズで形成することができる。
【００１６】
別の態様によれば、車両ディスクブレーキシステムのブレーキパッド摩耗を測定するブレーキパッド摩耗測定システムは、第一の磁界を生成するように励磁可能な第一のコイルと、第二の磁界を生成するように励磁可能な第二のコイルと、該第一および第二のコイルを励磁し且つ該第一および第二のコイルにおける該インダクタンスを測定するように構成された制御部とを支持するハウジングを備えるセンサを含むことができる。第一のターゲットは、該ディスクブレーキシステムの作動に応答して、該第一の磁界内で移動し且つ該第一のコイルの該インダクタンスに影響を及ぼすように構成することができる。第二のターゲットは、該ディスクブレーキシステムの作動に応答して該第二の磁界に向かって移動し、該ブレーキパッドが所定の摩耗量に達するまで、該第二のコイルの該インダクタンスに影響を及ぼさないように構成することができる。
【００１７】
単独の別の態様、または、任意の他の態様と組合せた別の態様によれば、該制御部は、該磁界内での該第一および第二のターゲットの移動によって引き起こされる該第一および第二のコイルにおけるインダクタンスの変化に応答して、ブレーキパッド摩耗を示す信号を該センサから供給するように構成することができる。
【００１８】
単独の別の態様、または、任意の他の態様と組合せた別の態様によれば、該制御部は、該第一のコイルの該インダクタンスに応答して初期のブレーキパッド摩耗を計算するように、および該ブレーキパッドが所定の摩耗量に達した後にだけ、該第二のコイルのインダクタンスの変化に応答してブレーキパッド摩耗を計算するように構成することができる。
【００１９】
単独の別の態様、または、任意の他の態様と組合せた別の態様によれば、該第一および第二のコイル面は、互いに直角に向けることができる。該第一のターゲットは、該第一のコイル面に平行に向けることができる。該第二のターゲットは、該第二のコイル面に平行に向けることができる。
【００２０】
単独の別の態様、または、任意の他の態様と組合せた別の態様によれば、該第一のコイルおよびターゲットは、該ブレーキパッドの寿命の初期にブレーキパッド摩耗を測定するように構成することができる。該第二のコイルおよびターゲットは、該ブレーキパッドの寿命の終了に向かって始まるブレーキパッド摩耗を測定するように構成することができる。
【００２１】
単独の別の態様、または、任意の他の態様と組合せた別の態様によれば、該第二のコイルは、該第一のコイルよりも小さくすることができる。該第二のターゲットは、ブレーキパッド摩耗量に関係なく、該第二のコイルを完全に覆うことができる。
【００２２】
単独の別の態様、または、任意の他の態様と組合せた別の態様によれば、該第一のターゲットは、略先細形状を有することができる。該第二のターゲットは、略矩形状を有することができる。
【００２３】
単独の別の態様、または、任意の他の態様と組合せた別の態様によれば、該第一および第二のターゲットは、互いに直角に向けることができる。
【００２４】
単独の別の態様、または、任意の他の態様と組合せた別の態様によれば、該第一のターゲットは、ブレーキの作動に応答して、該第一のコイル面に平行に移動することができる。該第二のターゲットは、ブレーキの作動に応答して、該第二のコイル面に垂直に移動することができる。
【００２５】
単独の別の態様、または、任意の他の態様と組合せた別の態様によれば、該第二のコイルは、該ブレーキが所定の摩耗量に達するまで、該第二のコイル面に向かう該第二ターゲットの移動が、該第二のコイルの該インダクタンスに影響を及ぼさないようなサイズで形成することができる。
【図面の簡単な説明】
【００２６】
本発明の上記のおよび他の特徴および利点は、添付図面を参照して以下の説明を読めば、本発明に関連する当業者には明白になるであろう。
【図１】車両サスペンション部品に取り付けられたディスクブレーキ部品を示す実施例の車両構成の概略図である。
【図２】実施例のディスクブレーキ構成に対して実施されたブレーキ摩耗センサシステムを示す概略図であり、該ディスクブレーキは、非制動状態で図示されている。
【図３】図２の該ブレーキ摩耗センサシステムを示す概略図であり、該ディスクブレーキは、ブレーキパッドが摩耗の第一のレベルにある第一の制動状態で図示されている。
【図４】図２の該ブレーキ摩耗センサシステムを示す概略図であり、該ディスクブレーキは、ブレーキパッドが摩耗の第二のレベルにある第二の制動状態で図示されている。
【図５Ａ】該ブレーキ摩耗センサシステムの一つの構成を示す概略図である。
【図５Ｂ】該ブレーキ摩耗センサシステムの一つの構成を示す概略図である。
【図６Ａ】該ブレーキ摩耗センサシステムの別の構成を示す概略図である。
【図６Ｂ】該ブレーキ摩耗センサシステムの別の構成を示す概略図である。
【図７】該ブレーキ摩耗センサシステムの機能を示すグラフである。
【発明を実施するための形態】
【００２７】
図１を参照すると、実施例の車両サスペンションシステム１０は、車両１６に接続されている、枢動運動のための上方制御アーム１２および下方制御アーム１４を含む。ステアリングナックル２０は、該ナックルと制御アームとの間の相対運動を可能にするボールジョイントまたは類似物により、該制御アーム１２、１４の自由端に接続されている。該ステアリングナックル２０は、車軸線２６周りの回転（矢印Ａを参照）用のホイールハブ２４を支持するスピンドル２２を含む。車輪またはリム３０とタイヤ３２は、公知の手段、例えば、ラグおよびラグナットによって該ホイールハブ２４に取付けることができる。該ホイールハブ２４は、該軸線２６周りの該ハブ、リム３０およびタイヤ３２の回転を容易にするベアリング３４を含む。該ステアリングナックル２０は、該車両１６を公知の方法で操向するために、それ自体がステアリング軸線３６周りに回転可能である（矢印Ｂを参照）。
【００２８】
ダンパー４０、例えば、ショックアブソーバーまたはストラットは、該下方制御アーム１４に接続されたピストンロッド４２と、該車両１６の構造部、例えば、車両フレームに取り付けられたブラケットによって支持されているシリンダ４４とを有している。該ダンパー４０は、該車両１６に対する該制御アーム１４、１６および該ステアリングナックル２０の相対運動を抑制する。したがって、該ダンパー４０は、該サスペンションシステム１０、該車輪３０および該タイヤ３２の上下運動（矢印Ｃを参照）を生じさせる、道路３８と該タイヤ３２の衝突、例えば、凸凹、窪みまたは路上のデブリとの衝突を弱めて吸収するのを補助することができる。
【００２９】
該車両１６は、該ハブ、車輪３０およびタイヤ３２と共に回転するために該ハブ２４に固定されたブレーキディスク５２を含むディスクブレーキシステム５０を含む。また、該ディスクブレーキシステム５０は、ブラケット５６によって該ステアリングナックル２０に固定されているブレーキキャリパー５４も含む。したがって、該ディスク５２と該キャリパー５４は、ステアリングの運動（矢印Ｂ）およびサスペンション運動（矢印Ｃ）を介した該ステアリングナックル２０と合わせて動く。該ディスク５２は、該キャリパー５４に対して回転し（矢印Ａ）、および該キャリパーを貫通する外側径方向部分を有している。
【００３０】
図１に示す該サスペンションシステム１０の構成は、ほんの一例であり、本発明の範囲を限定することを意図していない。本願明細書に開示されている該ブレーキパッド摩耗センサシステムは、ディスクブレーキを実施する如何なる車両サスペンション構成との利用のために構成することができる。例えば、図示されているサスペンションシステム１０は、独立したフロントサスペンション、具体的には、上方および下方制御アーム／Ａアーム（場合により、ダブルウィッシュボーンと呼ばれる）サスペンションであるが、他の独立サスペンションを用いることもできる。該ブレーキパッド摩耗感知システムをそれを用いて実施することができる独立サスペンションの実例は、限定するものではないが、スイングアクスル式サスペンション、スライディングピラー式サスペンション、マクファーソンストラット式サスペンション、チャップマンストラット式サスペンション、マルチリンク式サスペンション、セミトレーリングアーム式サスペンション、スイングアーム式サスペンションおよびリーフスプリング式サスペンションを含む。また、該ブレーキパッド摩耗感知システムは、限定するものではないが、サッチェル（Ｓａｔｃｈｅｌｌ）リンク式サスペンション、パナールロッドサスペンション、ワッツリンクサスペンション、ＷＯＢリンクサスペンション、マンフォード（Ｍｕｍｆｏｒｄ）リンクサスペンションおよびリーフスプリング式サスペンションを含む懸架式サスペンションシステムを用いて実装することができる。さらに、該ブレーキパッド摩耗感知システムは、前輪ディスクブレーキまたは後輪ディスクブレーキに対して実装することができる。
【００３１】
図２〜図４を参照すると、該ディスクブレーキシステム５０が、概略的かつより詳細に図示されている。該ブレーキシステム５０は、該車両１６への該キャリパー５４の接続が、該ブレーキディスク５２に対する該キャリパーの軸方向運動（「フロート」）を可能にしているシングルピストンフローティングキャリパーシステムである。このフローティングキャリパー構成において、該キャリパー５４は、ブレーキ軸線６０に平行に、該ディスク５２に向かって、および該ディスクから離れて軸方向に動けるようになっている（矢印Ｄを参照）。
【００３２】
該ブレーキシステム５０は、内側ブレーキパッド７２を支持している内側ブレーキパッドホルダ７０と、外側ブレーキパッド７６を支持している外側ブレーキパッドホルダ７４とを含む。該内側ブレーキパッドホルダ７０は、ピストン８０上に支持されている。該外側ブレーキパッドホルダ７４は、フローティングキャリパー５４上に支持されている。該ピストン８０は、該フローティングキャリパー５４上に支持されているか、または、該フローティングキャリパー内に形成されているシリンダ８２内に設けられている。ブレーキ液８４は、該ブレーキシステム５０を作動させるために、ドライバーがブレーキペダル（図示せず）を作用させるのに応答して該シリンダ８２内へ圧送される。
【００３３】
該ブレーキシステム５０は、付勢部材（図示せず）、例えば、ばねによって付与される付勢によって、図２の非作動状態に維持されている。該ブレーキペダルが作用されると、該ブレーキ液８４が該シリンダ８２を充たして、図２〜図４に見られるように、流体圧力を該ピストン８０に付与して該ピストンを左側へ圧迫する。このことは、該内側ブレーキパッドホルダ７０およびパッド７２を、該ブレーキディスク５２に向かって該ブレーキ軸線６０に沿って移動させる。該ディスク５２に係合する該内側ブレーキパッド７２は、該ピストン８０およびシリンダ８２のその支持により該フローティングキャリパー５４に作用する反力を生成する。該ピストン８０は、該内側ブレーキパッド７２と該ディスクとの係合による、該ディスク５２に向かう動きが阻止されるため、該シリンダ８２内のブレーキ液圧は、図２〜図４に見られるように、該フローティングキャリパー５４を右側へ圧迫して移動させる。該右側へ移動する該フローティングキャリパー５４は、該外側ブレーキパッドホルダ７４およびパッド７６を、該ブレーキディスク５２に向かって該ブレーキ軸線６０に沿って移動させる。該内側パッド７６は、最終的に該ディスク５２に係合し、この時点で、該ディスクは、該内側ブレーキパッドと該外側ブレーキパッドとの間で締め付けられている。
【００３４】
該ブレーキパッド７２、７６がすり減るにつれて、これらのブレーキパッドは薄くなる。このことは、未使用の厚くてすり減っていない図３の該ブレーキパッド７２、７６を、古くて薄く、すり減っている図４の該ブレーキパッドと比較することによって説明される。図３と図４を比較して分かるように、該ブレーキシステム５０の該フローティングキャリパー構成のため、該ピストン８０および該キャリパー５４はともに、図４の摩耗したパッドを作用させた場合に、該未使用のパッドを作用させたときに該ピストンおよび該キャリパーが移動する距離よりも多くの距離を移動する。
【００３５】
ブレーキパッド摩耗感知システム１００は、該システムのどの部分も破壊することなく、該ブレーキパッド７２、７６における摩耗の量を測定する。この方法では、ルーチン保守中およびブレーキパッドの交換中に交換を要する該摩耗感知システム１００の部分はない。該摩耗感知システム１００は、このことを、ブレーキ部品がブレーキ作用中に移動する距離を直接測定することによって実現する。該ブレーキパッドが新しい場合、移動距離は短い。該パッドが摩耗するにつれて、該移動距離は増加する。この移動距離を測定および監視することにより、該摩耗感知システム１００は、ブレーキパッド摩耗の程度と、該パッドがすり減っていると見なせる時点の両方を判断することができる。
【００３６】
上記移動距離は、さまざまな該ブレーキシステム５０の部品を介して測定することができる。例えば、該移動距離は、該パッド７２、７６自体、該パッドホルダ７０、７４、該フローティングキャリパー５４または該ピストン８０を介して測定することができる。該移動距離は、動く部品自体の間で、または、動く部品と静止している部品との間で測定することができる。該静止している部品は、該ブレーキシステム５０の部品、または、該車両１６の部品、例えば、該サスペンションシステム１０とすることができる。該ブレーキパッド７２、７６が新しいか、またはすり減っていない場合、該移動距離は、比較的小さい。該ブレーキパッド７２、７６が摩耗するにつれて、該移動距離は増加する。該移動距離の増加は、該ブレーキパッドに関する摩耗を示す。
【００３７】
図５Ａ、図５Ｂを参照すると、該ブレーキパッド摩耗センサシステム１００は、誘導センサ１０２およびターゲット１０４を含む。該センサ１０２は、第一の部品１２０上に取付けられている。該ターゲット１０４は、第二の部品１２２上に取付けられている。これまでの段落で説明したように、第一および第二の部品１２０、１２２は、さまざまなアイデンティティ、例えば、ブレーキシステム５０の部品、車両１６の部品およびサスペンションシステム１０の部品を有することができる。該センサ１０２およびターゲット１０４は、少なくとも一つの部品、すなわち、該センサ１０２および／または該ターゲット１０４がブレーキ作用に応答して動く限り、ブレーキ作用に応答して動くように（図５Ａ、図５Ｂの矢印を参照）、または、ブレーキ作用中に静止したままであるように取付けることができる。
【００３８】
誘導センサ
泥や腐食に影響されないことにより、および物理的接触を要しないことにより、該誘導センサ１０２は、該ブレーキパッド摩耗感知システム１００への実装に対して理想的である。誘導近接感知は、該ブレーキパッド７２、７６に「交換時期」の指標を与える二元的な指標として、すなわち、「イエス／ノー」構成で実施することができる。また、誘導近接感知は、例えば、該ブレーキパッド７２、７６の「パーセント摩耗」の指標ならびに「交換時期」の指標を生成することができる可変出力構成を有する摩耗インジケータとして実施することができる。図５Ａおよび図５Ｂは、誘導センサ１０２およびその動作を示す。
【００３９】
図５Ａおよび図５Ｂを参照すると、該センサ１０２は、誘導コイル１１０と、該コイルを励磁し、および該ターゲット１０４を検出するためのＬＣ回路１１２とを含む。該ＬＣ回路１１２は、インダクタ‐キャパシタ（ＬＣ）タンク回路と、該ＬＣタンク回路をポンピングする発振器とを含む。該ＬＣタンク回路の該インダクタは、該発振器が該ＬＣタンク回路をポンピングしたときに磁界１１４を生成する該コイル１１０である。該ターゲット１０４が該センサ１０２から離れている場合（図５Ａを参照）、アクチュエータは、該センサ１０２によって生成された該磁界１１４にほとんどまたは全く影響を与えない。該ターゲット１０４が該コイルの近傍に持って来られると（図５Ｂを参照）、渦電流が該アクチュエータの導電性金属内に生成される。該渦電流の大きさは、該ターゲット１０４の距離、材料およびサイズに応じて変化する。該渦電流は、該ＬＣタンク回路の発振振幅を低減するという効果を有し、および該Ｌインダクタの有効インダクタンスを低減する逆磁界を生成する。
【００４０】
インダクタンス値Ｌは、ＬＣタンク共振周波数を決める。該センサ１０２は、ＬＣタンク回路における発振振幅の変化、または、ＬＣタンク共振周波数の変化のいずれかを測定するように構成することができる。該ＬＣ回路１１２は、該ターゲット１０４を検出するために、この変化を測定するように構成されている。該センサ１０２が該ターゲット１０４を検出する方法は、該ＬＣ回路１１２の構成に依存する。一つの構成において、該ＬＣ回路１１２は、該アクチュエータの存在を検出するように構成することができ、すなわち、該ターゲット１０４が、該センサに対して特定の所定位置に達したときに切り替えられるイエス／ノースイッチとすることができる。別の構成では、該ＬＣ回路１１２は、該ターゲット１０４までの実際の距離を測定するように構成することができる。
【００４１】
図５Ａおよび図５Ｂの実施例の構成の該ブレーキパッド摩耗センサシステム１００は、摩耗パッド検出器（存在検出器）またはパッド摩耗検出器（距離検出器）として構成することができる。摩耗パッド検出器構成では、該システム１００は、該ブレーキパッドが所定量の摩耗に達した場合のみを検出するように、および該パッドが摩耗して修理が必要であるという指示を与えるように構成されている。パッド摩耗検出器構成では、該システム１００は、該パッドに関する該摩耗の量（例えば、％摩耗）を検出するように、および当該量、例えば、該パッドに関する摩耗の量または該パッドに残されている有用寿命に関する指標を与えるように構成されている。該システム１００は、該パッドが摩耗した際に、定期的な警告、例えば、「残り５０％」、「残り２５％」、「残り１０％」および「修理が必要」等を与えるように構成することができる。
【００４２】
動作時に、該ターゲット１０４の位置が、該センサ１０２の位置に対して変化した場合、すなわち、図５Ａに示す該位置から図５Ｂに示す該位置へ変化した場合、このことは、該磁界１１４を変化させ、および該ＬＣ回路１１２に応答させ、該センサ１０２は、出力をセンサ制御部１０６へ供給し、該制御部は、ブレーキパッド摩耗を測定するための、および該ブレーキパッドが交換を必要とするか否かを判断するための関連する計算を実行する。該センサ１０２およびターゲット１０４の配置により、該摩耗感知システム１００は、増加した該センサと該ターゲットとの間の距離に応じて増加した摩耗を検出するように、または、減少した該センサと該ターゲットとの間の距離に応じて増加した摩耗を検出するように構成することができることに留意すべきである。該センサ制御部１０６は、それらの計算の結果を主制御部１０８、例えば、車両ボディコントロールモジュール（ＢＣＭ）に供給することができ、該モジュールは、必要な場合に、該車両のオペレータに警告を出すことができる。
【００４３】
一つの特定の構成において、該制御部１０６は、車両アンチロックブレーキシステム（ＡＢＳ）制御部内に、または該制御部とともに実装することができる。このことは、タイヤ回転センサを採用している該ＡＢＳシステムが既に、該ブレーキパッド摩耗感知システム１００を利用することができる領域までケーブル／配線が通されていることを必要としているため、便利である可能性がある。また、該制御部１０６を該ＡＢＳ制御部内にまたは該制御部とともに実装することは、該制御部が主制御部１０８とやりとりしているため、便利である。このようにして、該システム１００によって感知された該ブレーキパッド摩耗の指標は、該センサ制御部１０６を介して該主制御部１０８へ送ることができ、該主制御部は、例えば、計器パネル／ゲージクラスタを介して該車両のオペレータに、関連する警告／指標を提供することができる。
【００４４】
別の構成では、該センサ１０２は、パッド摩耗データを無線で該制御部１０６へ送ることができ、その場合、該制御部は、該データおよび／または該データを使用して実行した計算を該主制御部１０８へ伝達することができる。この構成では、例えば、該センサ制御部１０６は、タイヤ空気圧監視システム（ＴＰＭＳ）センサからの信号を無線で受信するように、および該主制御部１０８とやりとりするように既に装備されているＴＰＭＳ内に、または該ＴＰＭＳとともに実装することができる。
【００４５】
さらなる構成では、該センサ制御部１０６は、該センサ１０２自体の中に一体化することができ、また、該センサは、パッド摩耗データおよび／または計算結果を該車両の主制御部１０８へ有線または無線のいずれかで直接送信することができる。
【００４６】
該センサ１０２およびターゲット１０４を取付けることができる該第一および第二の部品１２０、１２２は、さまざまなアイデンティティを有することができる。図１〜図４を参照すると、該第一の部品１２０は、フローティングキャリパー５４とすることができ、そのことは、該センサ１０２を、該ブレーキの作用に応答して移動できるようにするであろう。別法として、該第一の部品１２０は、固定された部品、例えば、該取付ブラケット５６、または、該サスペンションシステム１０の部品とすることができる。該第二の部品１２２は、可動性のブレーキシステム部品、例えば、該キャリパー５４、該ピストン８０、該パッドホルダ７０、７４の一方、または、該パッド７２、７６の一方とすることができる。
【００４７】
該誘導検出コイルからの該ターゲットの距離（ＤＳ）の有効測定は、コイルのサイズ／直径と該ターゲットのサイズとに関連しているため、該コイル１１０が大きければ大きいほど、該測定は良好であるという結果になる。該ブレーキシステム５０の該領域内の限定された空間により、および当該領域内に多くの金属製部品があるという事のために、大きなサイズ／直径のコイルおよびターゲットは実行不可能である。さらに、ブレーキパッドの厚さは、その耐用年数にわたった変化が比較的小さい可能性がある（例えば、約１０〜１５ｍｍ）。この該センサ１０２用の限定された空間及び比較的小さな距離ＤＳに加えて、例えば車両、ブレーキおよびサスペンション部品などの周囲構造部に関連する若干の累積公差もあるため、該センサ１０２と該ターゲット１０４との間の軸方向距離の小さな変化を感知することは困難かもしれない。
【００４８】
図５Ａおよび図５Ｂの該センサシステム１００の該実施例の構成に示されているように、該ブレーキパッドの厚さは、該センサ１０２およびコイル１１０に対する該ターゲット１０４の横方向位置に変換することができる。該コイル１１０の面と、該ターゲット１０４の面との間の該軸方向距離を測定する代わりに、該コイル面とターゲット面との間隔が一定に維持され、および該ターゲットは、該コイルの上を横方向に移動するように構成される。該ターゲット１０４が該コイル１１０に対して移動するにつれて、該磁界１１４の近傍の該ターゲットの表面積が変化する。該コイル１１０の上の該ターゲット１０４の動きから生じるコイルインダクタンスの低下は、例えば、該ＬＣ回路の並列抵抗における共振周波数の増加、または、減少した信号振幅として測定することができ、また、該コイルに対する該ターゲットの位置を示すのに用いることができ、この位置は、関連するブレーキパッドの厚さの変化（および摩耗）に関連付けることができる。
【００４９】
図６Ａ、図６Ｂを参照すると、該センサシステム１００の一つの特定の構成において、該センサ１０２は、各々が、それ自体の専用のターゲット１０４を有している二つのコイル１１０を含むことができる。該ターゲット１０４は、別々の独立した部品、または、単一の部品の一部とすることができる。図６Ａ、図６Ｂの該実施例の構成においては、ターゲット１０４は、単一の部品の一部である。符号Ｔ１で示す第一のターゲット１０４は、符号Ｃ１で示す対応するセンサコイル１１０と関連付けられている。符号Ｔ２で示す第二のターゲット１０４は、符号Ｃ２で示す対応するセンサコイル１１０と関連付けられている。該ターゲットＴ１、Ｔ２はともに、図６Ａ、図６Ｂに矢印Ｅで大まかに示す方向におけるブレーキ作動に応答して、それらの関連するコイルＣ１、Ｃ２に対して動くように構成されている。
【００５０】
該ターゲットＴ１と該コイルＣ１は、互いに平行であり、かつ矢印Ｅに平行である平面内に位置している。該ブレーキが作用した場合、該ターゲットＴ１は、該コイルＣ１の面からのその間隔を維持しながら、矢印Ｅの方向に移動する。このように、該ターゲットＴ１は、該コイル面と平行に、該コイルＣ１の上を横方向に移動する。該ターゲットＴ１が、該コイルＣ１の上を横方向に動く際、該ターゲットＴ１が重なるか、または覆う該コイルＣ１の部分が変化する。さらに、該ターゲットＴ１は、該ターゲットＴ１が、該コイルＣ１の上を横方向に動く際に、該ターゲットＴ１が覆う該コイルＣ１の該部分が比例的に増大するように構成された、不規則な概して先細の三角形状の構成を有している。
【００５１】
該ターゲットＴ１と、該センサ１０２の該コイルＣ１は、ブレーキパッド摩耗を感知するように構成されている。該ターゲットＴ１の不規則な形状と、該センサコイルＣ１の表面または面からのその間隔が一定に維持されるという事は、該ターゲットＴ１の存在に対する該センサ１０２の応答を向上させる。図６Ａ、図６Ｂに示すように、そのコイルＣ１に対して露出されている該三角形状のターゲットＴ１の面積は、該ターゲットが該コイルの上をまたは該コイルに沿って、スライドするかまたは移動する際に変化する。該ターゲットＴ１が該コイルＣ１に対して移動する際、渦電流が該ターゲット内に生成される。該コイルＣ１に重なっている該ターゲットＴ１の該表面積が変化すると、該渦電流も変化する。該ターゲットＴ１内の該渦電流は、該コイルＣ１に該インダクタンス（Ｌ）に影響を与える。より具体的には、該コイルＣ１上に配置された該ターゲットＴ１の該表面積が増加するにつれて、該渦電流が増加し、および該コイルＣ１の該インダクタンスが減少する。該コイル１１０の上の該ターゲット１０４の動きから生じるコイルインダクタンスの低下は、例えば、該ＬＣ回路の該並列抵抗における共振周波数の増加、または、減少した信号振幅として測定することができ、および該コイルＣ１に対する該ターゲットＴ１の該位置を示すのに用いることができ、この位置は、該関連するブレーキパッドの厚さの変化（および摩耗）に関連付けることができる。
【００５２】
使用時、該ブレーキパッド７２、７６が摩耗して厚さが薄くなる際、該ターゲットＴ１は、該コイルＣ１の上を横方向に移動する。この動きは、該コイルＣ１の該インダクタンスの変化をもたらし、そのことは図７に図示されている。図７において、符号ＤＳで標記された軸は、該軸に沿って右側へ増加しているブレーキパッド摩耗を示す。図７に示すように、ブレーキパッド摩耗（ＤＳ）が増加すると、該コイルＣ１の減少したインダクタンスＬ１（コイルＣ１の上の増加したターゲットＴ１の表面積）を生じる。したがって、該ブレーキパッド７２、７６が摩耗するにつれて、該インダクタンスＬ１は、それに応じて減少し、および該システム１００は、当該減少をブレーキパッド摩耗と関連付けることができる。
【００５３】
該ターゲットＴ２と該コイルＣ２は、互いに平行であり、かつ該ターゲットＴ１、コイルＣ１がある平面および矢印Ｅに直角である面内に位置している。該ブレーキが作用されると、該ターゲットＴ２は、矢印Ｅの方向に移動し、コイルＣ２の該表面または面からのその間隔を変化させる。このように、該ターゲットＴ２は、コイルＣ２の該コイル面に垂直に、すなわち、該コイル面に向かっておよび該コイル面から離れて移動する。該コイルＣ２によって生成された該磁界は、１／距離^３に従って変化する。したがって、該ターゲットＴ２が、コイルＣ２の該面に向かって、または該面から離れて移動するにつれて、該コイルから該金属ターゲットに作用する該磁界は、大幅に増加または減少する。この急速で大幅な変化は、それに応じた該ターゲット内の渦電流の急速で大幅な変化を生じさせ、そのことは、該コイルＣ２の有効インダクタンスの急速で大幅な変化をもたらす。このインダクタンス（または、該タンク回路の共振周波数または振幅）の急速で大幅な変化は、軸方向測定の高い感度を示す。したがって、該ターゲットＴ２およびコイルＣ２から成る構成は、正確で高分解能の距離測定をもたらす。さらに、該ターゲットＴ２は、該コイル適用範囲の境界が一定のままであるように構成された、規則的で概して矩形または円形の構成を有している。
【００５４】
該ターゲットＴ１とコイルＣ１は、ブレーキパッド使用の開始からの経時的なブレーキパッド摩耗の程度または量を測定するように構成されているのに対して、該ターゲットＴ２と該コイルＣ２は、該ブレーキパッドの寿命の終了に向かう短期間にわたるブレーキパッド摩耗を測定するように構成されている。有利には、該ターゲットＴ２およびコイルＣ２を該ブレーキパッド寿命の終了に集中させることは、該ブレーキパッド摩耗測定値が最も重要である場合に、該センサ１０２が、正確で高分解能の機能が強化されたブレーキパッド摩耗測定値を生成することを可能にする。
【００５５】
該第二のターゲットＴ２およびコイルＣ２から成る該構成は、この目的に合わせることができる。まず、該コイルＣ２は、（該コイルＣ１と比較した場合）比較的小さくすることができ、そのため、励磁された場合に、比較的小さな磁界を生成することができる。このため、該ターゲットＴ２は、該コイルＣ２に近づくまで、該コイルＣ２の該インダクタンスに影響を及ぼさない。しかし、一旦、該ターゲットＴ２が該コイルＣ２の磁界内に入ると、該磁界へのその影響および結果として生じる該コイルＣ２の該インダクタンスＬ２に対する該ターゲットＴ２の影響は、大きくなる可能性がある。該コイルＣ２のサイズ、および該コイルＣ２の励磁のレベルは、該ブレーキパッドが所定量の摩耗に達したときに、該ターゲットＴ２が、該コイルインダクタンスＬ２に影響を及ぼすことを始めることができるように合わせることができる。
【００５６】
さらに、比較的大きく、および該コイルＣ２を完全に覆っている該ターゲットＴ２は、一旦、該コイルＣ２によって生成された該磁界内に移動すると、該コイルＣ２の該インダクタンスＬ２に強い影響を及ぼすことになる。このことは、該コイルＣ２を、所定位置に達している該ターゲットＴ２に対して非常に敏感にする。したがって、該センサ１０２は、一旦、所定の摩耗の程度に達すると、ブレーキパッド摩耗の判断を高精度かつ高精密にすることができる。
【００５７】
該ターゲットＴ２が該コイルＣ２に向かって移動する際、渦電流は、該ターゲットＴ２が、該コイルＣ２が反応を始めるのに好ましい所定の程度の摩耗に関連する初期位置に達するまで、該ターゲットＴ２内に生成されない。このことは、図７に図示されている。図７に示すように、該ターゲットＴ２が、一旦、概して符号Ｐｌで示すこの初期位置に達すると、該コイルＣ１の該インダクタンスＬ２は、変化し始め、すなわち、急速にまたは指数関数的に減少し始める。その場合、該センサ１０２は、該ターゲットＴ２およびコイルＣ２の利用に切り替えてブレーキパッド摩耗を測定することができる。該ターゲットＴ２が、符号ＰＰで大まかに示す所定位置に達した場合、該センサ１０２は、該ブレーキパッド７２、７６が所定量の摩耗（例えば、８０％または９０％）に達したこと、およびブレーキパッドの交換が必要であることを示すことができる。
【００５８】
有利には、図７に示すように、該センサ１０２に実装されるコイル１１０とターゲット１０４の組合せは、該ブレーキパッド７２、７６の該寿命を通してロバストで正確な測定値を生成することができる。該ターゲットＴ１とコイルＣ１から成る該構成は、該ターゲットが符号Ｐｌに達するまで、該パッドの該寿命の初期から、ブレーキパッド摩耗（ＤＳ）に対して敏感にすることができる。この時点では、インピーダンス測定値Ｌ１が漸近的になっていることを図７を見て理解することができ、そのことは、その精度および分解能に影響を及ぼす可能性がある。しかし、有利には、この時点（Ｐｌ）においては、該ターゲットＴ２およびコイルＣ２が、高分解能かつ高精度（急な勾配）で該インピーダンス測定値Ｌ２を生成することを始めている。コイルとターゲットの組合せＴ１／Ｃ１およびＴ２／Ｃ２を有する該センサ１０２は、ロバストで高分解能のブレーキパッド摩耗の指標を生成することができる。
【００５９】
当業者は、本発明の上記の説明から、改良物、変形例および変更例に気付くであろう。当技術分野の範囲内のそのような改良物、変形例および変更例は、添付クレームによってカバーされることが意図されている。
【図１】
2019532236.tif 000003
【図２】
2019532236.tif 000004
【図３】
2019532236.tif 000005
【図４】
2019532236.tif 000006
【図５Ａ】
2019532236.tif 000007
【図５Ｂ】
2019532236.tif 000008
【図６Ａ】
2019532236.tif 000009
【図６Ｂ】
2019532236.tif 000010
【図７】
2019532236.tif 000011
【国際調査報告】
2019532236.tif 000012
2019532236.tif 000013